(57)【特許請求の範囲】
【請求項１】
ストーマ装具であって、
それらの末梢でまたは末梢近傍で互いに接続された第１および第４の壁であって、該第１の壁がストーマ受容開口部を有している、第１および第４の壁、
前記第１の壁と前記第４の壁の間に位置しており互いに接続されている第２および第３の壁であって、該第２の壁が、前記第１の壁、および／または、前記第４の壁のうち１つまたはもっと多くと接続されており、および、該第３の壁が、前記第１の壁、および／または、前記第４の壁のうち１つまたはもっと多くと接続されている、第２および第３の壁、
前記第１の壁と前記第２の壁の間または前記第１の壁と前記第４の壁の間のどちらかに画定される排泄物収集キャビティ、
前記第２の壁と前記第３の壁の間に画定される第２のキャビティ、
前記第３の壁と前記第４の壁の間に画定される第３のキャビティ、
前記排泄物収集キャビティから前記第２のキャビティへ排泄ガスが通過することを可能にする、前記第２の壁における第１のガス流路、
前記第２のキャビティから前記第３のキャビティへ排泄ガスが通過することを可能にする、前記第３の壁における第２のガス流路、および、
前記第３のキャビティから排泄ガスが漏れることを可能にする、前記第４の壁における第３のガス流路
を備え、
前記第２の壁および前記第３の壁は、前記第２のキャビティ内の液体が前記排泄物収集キャビティに流入することを可能にする液体流路を画定するように、互いに接続されている、ストーマ装具。
【請求項２】
請求項１に記載のストーマ装具において、
前記液体流路は、前記第２のキャビティ内の液体が重力を受けて前記排泄物収集キャビティに流入することを可能にする、ストーマ装具。
【請求項３】
請求項１または２に記載のストーマ装具において、
前記第２の壁および前記第３の壁は互いに接続されており、および、前記液体流路は、前記接続における破断、ギャップ、または、開口部として備えられる、ストーマ装具。
【請求項４】
請求項１乃至３のいずれかに記載のストーマ装具において、
前記第１のガス流路は前記第２の壁におけるアパーチャまたはスリットである、ストーマ装具。
【請求項５】
請求項１乃至４のいずれかに記載のストーマ装具において、
前記第２のガス流路は前記第３の壁におけるアパーチャまたはスリットである、ストーマ装具。
【請求項６】
請求項１乃至５のいずれかに記載のストーマ装具において、
前記第３のガス流路は前記第４の壁におけるアパーチャまたはスリットである、ストーマ装具。
【請求項７】
請求項４乃至６のいずれかに記載のストーマ装具において、
前記アパーチャまたはスリットはガスフィルタによって覆われている、ストーマ装具。
【請求項８】
請求項１乃至７のいずれかに記載のストーマ装具において、
前記第２の壁および／または前記第３の壁は、前記第1の壁および前記第４の壁より表面積が小さい、ストーマ装具。
【請求項９】
請求項１乃至８のいずれかに記載のストーマ装具において、
前記第２の壁および／または前記第３の壁は、本装具の上部に位置している、ストーマ装具。
【請求項１０】
請求項１乃至９のいずれかに記載のストーマ装具において、
前記第２の壁および／または前記第３の壁は、前記第１の壁の前記ストーマ受容開口部と概して逆に位置している、ストーマ装具。
【請求項１１】
請求項１乃至１０のいずれかに記載のストーマ装具において、
前記排泄物収集キャビティに対して、その内容物を空にするために連通している閉鎖可能な出口を含む、ストーマ装具。
【請求項１２】
請求項１乃至１１のいずれかに記載のストーマ装具において、
２つまたはもっと多い液体流路が存在する、ストーマ装具。
【請求項１３】
請求項３乃至１２のいずれかに記載のストーマ装具において、
２つの破断、ギャップ、または、開口部が、前記第２の壁および前記第３の壁の前記接続において存在する、ストーマ装具。
【請求項１４】
請求項１１、または、請求項１１に従属する請求項１２または１３に記載のストーマ装具において、
前記液体流路は、前記第２の壁および前記第３の壁の周囲のエッジであって、前記出口に向かって概して下方を向いたエッジの接続において備えられる、ストーマ装具。
【請求項１５】
請求項１乃至１４のいずれかに記載のストーマ装具において、
前記液体流路は、前記第２のキャビティから前記排泄物収集キャビティへ向う方向へのみ、液体が通過することを可能にするように構成されている、ストーマ装具。
【請求項１６】
請求項１５に記載のストーマ装具において、
前記液体流路は一方向弁である、ストーマ装具。
【請求項１７】
請求項１乃至１６のいずれかに記載のストーマ装具において、
前記第４の壁は互いに接続された第１および第２の部分を含む、ストーマ装具。
【請求項１８】
請求項１７に記載のストーマ装具において、
前記第４の壁の前記第１および第２の部分、および、前記第２の壁は互いに接続されている、ストーマ装具。
【請求項１９】
ストーマ装具であって、
それらの末梢でまたは末梢近傍で互いに接続された第１および第４の壁であって、該第１の壁がストーマ受容開口部を有している、第１および第４の壁、
前記第１の壁と前記第４の壁の間に位置する第２の壁、
前記第１の壁と前記第２の壁の間または前記第１の壁と前記第４の壁の間のどちらかに画定される排泄物収集キャビティ、
前記第２の壁と前記第４の壁の間に画定される第２のキャビティ、
前記排泄物収集キャビティから前記第２のキャビティへ排泄ガスが通過することを可能にする、前記第２の壁における第１のガス流路、および、
前記第２のキャビティから排泄ガスが漏れることを可能にする、前記第４の壁における第２のガス流路
を備え、
前記第２の壁および前記第４の壁は、前記第２のキャビティ内の液体が前記排泄物収集キャビティに流入することを可能にする液体流路を画定するように、互いに接続されている、ストーマ装具。
【請求項２０】
請求項１９に記載のストーマ装具において、
前記液体流路は、前記第２のキャビティ内の液体が重力を受けて前記排泄物収集キャビティに流入することを可能にする、ストーマ装具。
【請求項２１】
請求項１９または２０に記載のストーマ装具において、
前記第２の壁と前記第４の壁が互いに接続されており、および、該接続における破断、ギャップ、または、開口部として、前記液体流路が設けられている、ストーマ装具。
【請求項２２】
請求項１９または２０に記載のストーマ装具において、
前記第１のガス流路は前記第２の壁内のアパーチャまたはスリットである、ストーマ装具。
【請求項２３】
請求項１９乃至２２のいずれか一項に記載のストーマ装具において、
前記第２のガス流路は前記第４の壁内のアパーチャまたはスリットである、ストーマ装具。
【請求項２４】
請求項１９乃至２３のいずれか一項に記載のストーマ装具において、
前記アパーチャまたはスリットはガスフィルタで覆われている、ストーマ装具。
【請求項２５】
請求項１９乃至２４のいずれか一項に記載のストーマ装具において、
前記第２の壁の表面積は前記第１および第４の壁の表面積よりも小さい、ストーマ装具。
【請求項２６】
請求項１９乃至２５のいずれか一項に記載のストーマ装具において、
前記第２の壁は、本装具の上部を向いて位置している、ストーマ装具。
【請求項２７】
請求項１９乃至２６のいずれか一項に記載のストーマ装具において、
前記第２の壁は、前記第１の壁の前記ストーマ受容開口部と概して逆に位置している、ストーマ装具。
【請求項２８】
請求項１９乃至２７のいずれか一項に記載のストーマ装具において、
前記排泄物収集キャビティに対して、その内容物を空にするために連通している閉鎖可能な出口を含む、ストーマ装具。
【請求項２９】
請求項１９乃至２８のいずれか一項に記載のストーマ装具において、
２つまたはそれよりも多くの液体流路がある、ストーマ装具。
【請求項３０】
請求項１９乃至２９のいずれか一項に記載のストーマ装具において、
前記第２の壁と前記第４の壁の接続において２つの破断、ギャップ、または、開口部がある、ストーマ装具。
【請求項３１】
請求項２８、または、請求項２８に従属する請求項２９または３０のいずれか一項に記載のストーマ装具において、
前記液体流路は、前記第２の壁および前記第４の壁の周囲のエッジであって、前記出口に向かって下方を向いたエッジの接続において備えられる、ストーマ装具。
【請求項３２】
請求項１９乃至３１のいずれか一項に記載のストーマ装具において、
前記液体流路は、前記第２のキャビティから前記排泄物収集キャビティへ向う方向へのみ、液体が通過することを可能にするように構成されている、ストーマ装具。
【請求項３３】
請求項３２に記載のストーマ装具において、
前記液体流路は一方向弁である、ストーマ装具。
【請求項３４】
請求項１９乃至３３のいずれか一項に記載のストーマ装具において、
前記第４の壁は互いに接続された第１および第２の部分を含む、ストーマ装具。
【請求項３５】
請求項３４に記載のストーマ装具において、
前記第４の壁の前記第１および第２の部分、および、前記第２の壁は互いに接続されている、ストーマ装具。
【発明の詳細な説明】
【技術分野】
【０００１】
本発明は、ヒトの排泄物を収集するためのストーマ装具に関する。本発明を排出可能および非排出可能のストーマ装具に利用できることを理解されたい。本発明は、ワンピースおよびツーピースのストーマ装具の両方に適用可能である。
【発明の概要】
【０００２】
本発明の第１の態様によれば、出願人は、それらの末梢でまたは末梢近傍で互いに接続された第１および第４の壁であって、該第１の壁がストーマ受容開口部を有している、第１および第４の壁、前記第１の壁と前記第４の壁の間に位置する第２および第３の壁であって、該第２の壁が、前記第１の壁、該第３の壁、および／または、前記第４の壁のうち１つまたはもっと多くと接続されており、および、該第３の壁が、前記第１の壁、該第２の壁、および／または、前記第４の壁のうち１つまたはもっと多くと接続されている、第２および第３の壁、前記第１の壁と前記第２の壁の間または前記第１の壁と前記第４の壁の間のどちらかに画定される排泄物収集キャビティ、前記第２の壁と前記第３の壁の間に画定される第２のキャビティ、前記第３の壁と前記第４の壁の間に画定される第３のキャビティ、前記排泄物収集キャビティから前記第２のキャビティへ排泄ガスが通過することを可能にする、前記第２の壁における第１のガス流路、前記第２のキャビティから前記第３のキャビティへ排泄ガスが通過することを可能にする、前記第３の壁における第２のガス流路、および、前記第３のキャビティから排泄ガスが漏れることを可能にする、前記第４の壁における第３のガス流路を備えたストーマ装具であって、前記第２の壁および前記第３の壁は、前記第２のキャビティ内の液体が前記排泄物収集キャビティに流入することを可能にする液体流路を画定するように、互いに接続されている、ストーマ装具を提供する。
【０００３】
本発明の第２の態様によれば、出願人は、それらの末梢でまたは末梢近傍で互いに接続された第１および第４の壁であって、該第１の壁がストーマ受容開口部を有している、第１および第４の壁、前記第１の壁と前記第４の壁の間に位置する第２の壁であって、該第２の壁が、前記第１の壁、および／または、前記第４の壁のうち１つまたはもっと多くと接続されている、第２の壁、前記第１の壁と前記第２の壁の間または前記第１の壁と前記第４の壁の間のどちらかに画定される排泄物収集キャビティ、前記第２の壁と前記第４の壁の間に画定される第２のキャビティ、前記排泄物収集キャビティから前記第２のキャビティへ排泄ガスが通過することを可能にする、前記第２の壁における第１のガス流路、および、前記第２のキャビティから排泄ガスが漏れることを可能にする、前記第４の壁におけるガス流路を備えたストーマ装具であって、前記第２の壁および前記第４の壁は、前記第２のキャビティ内の液体が前記排泄物収集キャビティに流入することを可能にする液体流路を画定するように、互いに接続されている、ストーマ装具を提供する。
【０００４】
本発明の第１および第２の態様のさらなる特徴は、本明細書に添付の請求項２乃至１８に記載されている。
【０００５】
本発明の実施形態について、単なる例示のために添付の図面を参照して、ここで説明する。
【図面の簡単な説明】
【０００６】
【図１】本発明に係る装置の第１の実施形態の正面図である。
【図２】図１の装置の、線Ａを通る断面図である。
【図３】本発明に係る装置の第２の実施形態の正面図である。
【図４】図３の装置の、線Ａ’を通る断面図である。
【図５】本発明に係る装置の第３実施形態の正面図である。
【図６】図５の装置の、線Ａ”を通る断面図である。
【図７】本発明に係る装置の第４の実施の形態の正面図である。
【図８】図７の装置の、線Ａ’を通る断面図である。
【発明を実施するための形態】
【０００７】
まず図１および図２を参照すると、これらは、一般的に１０で示される、本発明によるストーマ装具の第１の実施形態を示す。ストーマ装具１０の一般的な構造は当技術分野で知られているものと同様であり、その意味において、最も外側の一対の第１および第２の壁１２および１４を含み、それらは、それらの末梢でまたは末梢近傍で、例えば熱溶着によりまたは接着剤を使用することにより、互いに接続されている。ストーマ装具は排出可能な装具であり、その内容物を壁１２、１４の間の開口部１１を通して空にできることを意味している。壁１４は、横方向の溶着線２９に沿って互いに接続された第１の部分１４ａおよび第２の部分１４ｂとして提供される。
【０００８】
第１の壁１２はストーマ受容開口部１３を有しており、および、それらのストーマの周囲のユーザーに装具１０を接着するために親水コロイド材料から製造された、概して円形のフランジ１５に接続されている。
【０００９】
本実施形態におけるストーマ装具１０は、第１の壁１２と第４の壁１４の間に位置する第２の壁１６および第３の壁１８を含む（図２参照）。この実施形態において、第２の壁１６および第３の壁１８は、一般的な周辺溶着３１によって第１の壁１２および第４の壁１４の両方に接続されている。第３の壁１８はまた、一般的な溶着２９によって壁１４ｂに接続されている。しかしながら、代替の実施形態では、第２の壁１６を、第１の壁１２、第３の壁１８、および／または、第４の壁１４のうち１つまたはもっと多くに、それらの末梢でまたは末梢近傍で接続することができることを理解すべきである。代替の実施形態では、代わりに、第３の壁１８を、第１の壁１２、第２の壁１６、および／または、第４の壁１４のうち１つまたはもっと多くに、それらの末梢でまたは末梢近傍で接続してもよいこともまた理解すべきである。必要なことは、ストーマ装具１０が使用されている間、それらの相対位置が維持されるように、第１、第２、第３および第４の壁が互いに、直接または間接的に接続されていることだけである。
【００１０】
ストーマ装具１０は、図２から分かるように、その中に多くのキャビティを画定する。
開口部１３と連通する排泄物収集キャビティ２０であって、その下端において出口１１と連通する排泄物収集キャビティ２０が提供される。排泄物収集キャビティ２０の大部分は第１の壁１２と第２の壁１６の間に画定されるが、最下端部は、出口１１の近くで、第１の壁１２および第４の壁１４によって画定される。排泄物収集キャビティ２０は、壁１２における開口部１３を通ってキャビティに入る、ユーザーの排泄物を収集するための主要なキャビティとして提供される。
【００１１】
第２のキャビティ２２は、第２の壁１６と第３の壁１８の間に画定される。第３のキャビティ２４は、第３の壁１８と第４の壁１４の間に画定される。第２のキャビティ２２および第３のキャビティ２４は、排泄物の貯蔵のために備えられるのではなく、任意の廃ガスのための、そこを通る大気への出口を提供する。このガス流路を提供するために、装具１０は、第２の壁１６におけるスリット２６の形態で位置する第１のガス流路を有している。第２のガス流路は、第３の壁１８において、スリット２７の形態でも備えられる。最後に、第３のガス流路は、第４の壁１４において、適切なガスフィルタで覆われたアパーチャ２８の形態で備えられる。第１、第２および第３のガス流路のこの組み合わせは、廃ガスが排泄物収集キャビティ２０から大気中に使用の間に漏れることを可能にする。
【００１２】
本発明によれば、装具１０は、第２の壁１６および第３の壁１８が、第２のキャビティ２２内の任意の液体が排泄物収集キャビティ２２に流入することを可能にする液体流路４０を画定するように、互いに接続されるように構成される。本実施形態においては、図１から分かるように、第２の壁１６および第３の壁１８の、出口１１の方を向いたエッジ（通常の使用において概して水平であるもの）が、３つの熱溶着３０ａ、３０ｂおよび３０ｃによって互いに接続されている。これらの溶着部は、末梢溶着３１と一緒に、４つの液体流路４０を提供するように、第２の壁１６および第３の壁１８のお互いの接続において４つの破断、ギャップ、または、開口部を画定する。液体流路４０は、したがって、液体が第２のキャビティの方向にだけ収集排泄物キャビティに通過することを可能にし、そうする際に、一方向弁として作用するように構成されている。これは、なぜなら、２つの壁１６，１８は、任意の排泄物の重みを受けて自然に分かれて、排泄物がキャビティ２２からキャビティ２０内へ通過することを可能にするが、特に液体が壁の間に既に存在している場合、一般的には反対方向には簡単に分かれないからである。そのような任意の液体は、液体が流路４０を通って流れてキャビティ２２に流入することをさらに防ぐように、壁１６、１８をお互いに接着するのに役立つだろう。
【００１３】
どのような排泄物も排泄物収集キャビティ２０から第２のキャビティ２２内に流入することが意図されていない一方で、例えば、ユーザーが寝るために横になったときに少量の排泄物がスリット２６を通って流れることが時々ある。有利には、装具がその後で垂直に整列されたとき（例えば、ユーザーが直立していたとき）は、第２のキャビティ２２に入る任意の排泄物が重力を受けて、排泄物収集キャビティ２０内へ、液体流路４０を通って流れる。排泄物が第２のキャビティ２２内に流入しない場合であっても、そのような任意の排泄物がまた、スリット２７を通って第３のキャビティ２４内に流入することは起こりそうにない。
【００１４】
第２の壁１６と第３の壁１８の間に配置されているスペーシング壁１７を装具１０が備えていることが分かる。この壁１７の目的は、スペーシング材料として作用することである。これは、排ガスがキャビティ２２を通過することを可能にするように、好ましくは多孔質材料であるが、一方で、壁１６，１８が互いに付着することを防止することは、任意の排泄物をキャビティ２０からキャビティ２２内へ通過させる。
【００１５】
上記実施形態において第１および第２のガス流路２６，２７が装具１０のそれぞれの壁内のスリットとして備えられる一方で、適切なガスフィルタで覆われ得る適切なアパーチャを使用できることが理解されるべきである。また、第３のガス流路２８が壁１４内のアパーチャとして備えられる一方で、それはその中のスリットであってよく、必ずしもガスフィルタによって覆われる必要はない。
【００１６】
なお、第２の壁１６および第３の壁１８壁は、第１の壁１２および第４の１４の壁よりも表面積が小さいことが図面から分かるであろう。これは、装具の下部により多くのスペースを、キャビティ２０内に収集する排泄物のために有利に提供するためである。従って、壁１６および１８は、装具１０の上部に、概してストーマ受容開口部１３とは反対側に配置されている。
【００１７】
本実施形態において４つの液体流路４０が存在する一方で、１つ、２つ、３つ、またはもっと多い液体流路を利用し得ることが理解されるべきである。また、４つの液体流路４０が破断、ギャップ、または、開口部によって熱溶着３０ａ、３０ｂ、３０ｃの間に画定される一方で、任意の適切な接続を、第２の壁１６と第３の壁１８の間に、そこからのおよび排泄物収集キャビティ２０への少なくとも１つの液体流路４０を備えるように、設けることができることを理解すべきである。例えば、第２の壁１６および第３の壁１８は、それ自体の上に折り返された材料の単一のシートとして形成され、および、該折り返し部内または折り返し部近傍に、スリット（複数可）またはアパーチャ（複数可）が、排泄物収集キャビティ２０への液体流路（複数可）を提供するように存在する。
【００１８】
壁１６、１７、１８および１４を互いに接続する略円形の溶着線２３を装具１０が含むことが図面上で見られよう。この円周溶着２３は、その内部に、ユーザーが開口部１３を見ることができるようにビューポートを画定する。装具１０が付加的な部分壁１９ａ、１９ｂ、１９ｃを含んでいることも分かる。当技術分野でよく知られているように、これらの壁は、ユーザーの快適性を高めるために備えられている。壁１９ａ、１９ｂ、１９ｃは、ユーザーがビューポートを介して見ることを可能にするように互いに分離することができる。
【００１９】
図３〜６は、本発明に係る第２の実施形態１０’（図３および図４）および第３の実施形態１０’’（図５および６）に関する。第１の実施の形態１０と共通する特徴には、第２の実施形態のためにシングルプライム記号を追加した同じ参照番号が、第３実施形態のためにダブルプライム記号を追加した同じ参照番号が与えられている。
【００２０】
図３および４を参照すると、主な違いは、第３の壁１８’の第４の壁１４’への接続である。直接溶着が存在する代わりに、一方のエッジ３２に沿って壁１８’の最下端に接続され、且つ、反対側のエッジ３１に沿って壁１４’の最下部に接続された別の壁３３が備えられている。断面において、壁３３は、それがそれ自体の上で折り返された単一壁であるという意味においてｎ字形である。この追加の壁３３は、キャビティ２４’内で利用可能なキャビティ空間を、排泄ガスがアパーチャ２８’を通って出る前に排泄ガスのために増加させることを提供する。
【００２１】
図５および６に示された第３の実施形態は、第１および第２の実施形態とは、（以前、第１および第２の実施形態では溶着２９，２９’によって）互いに接続される第１および第２の部分よりむしろ、第４の壁１４’’がその全長に沿って単一壁として備えられる点で異なる。
【００２２】
図７および８を参照すると、これらは、本発明による装具１０’’’の第４の実施形態を示している。本実施形態は図３および図４に示した第２の実施の形態と類似しているため、同様の部品／特徴には、さらに２つのプライム記号を追加した同じ参照番号が与えられている。第２の実施形態との主な違いは、第３の壁１８’の省略である。よって、装具１０’’’は、三つの主要な壁１２’’’，１４’’’，および１６’’’を、４つに代えて有している。壁１４’’’は、横方向の溶着線２９’’’に沿って互いに接続された第１の部分１４ａ’’’および第２の部分１４ｂ’’’に分割される。別の壁３３’’’は一方のエッジ３１’’’に沿って壁１４’’’の最下端に接続され、その反対側のエッジは、壁１８’’に、溶着３０ａ’’’、３０ｂ’’’および３０ｃ’’’によって接続されている（これは、液体流路４０’’を画定する）。さらに、断面において壁３３’’’は、それがそれ自体の上で折り返された単一壁であるという意味においてｎ字形である。この追加の壁３３’’’は、キャビティ２２’’’内で利用可能なキャビティ空間を、排泄ガスがアパーチャ２８’’’を通って出る前に排泄ガスのために増加させることを提供する。
【００２３】
壁１８’の省略は、装具１０’’’が、装具１０’において示した３つではなく、２つの内部キャビティ２０’’’、２２’’’を有することを意味している。しかしながら、装具は第２の実施形態と実質的に同じように動作し、空気が主キャビティ２０’’’からアパーチャ２６’’’、２７’’’を通ってキャビティ２２’’’ 内へ通過する。次いで空気はキャビティ２２’’’からベント２８’’’を通って大気中へ通過する。アパーチャ２６’’’、２７’’’を通るキャビティ２２’’’への任意の液体は、重力を受けて、有利には、流路４０’’’を通ってキャビティ２０’’’内へ戻って流れる。
【００２４】
なお、第２および第３実施形態の特徴のいずれも、本発明の範囲に逸脱することなく第１実施形態に組み込むことができること、および、その逆に組み込むことができることが理解されるであろう。本明細書および特許請求の範囲において使用されるとき、用語「含む」および「備える」およびその変形は、特定の特徴、ステップまたは整数が含まれることを意味する。これら用語が他の特徴、ステップまたは構成要素の存在を除外するものと解釈されるべきではない。
【００２５】
前述の説明、許請求の範囲、または添付の図面に開示され、必要に応じて、それらの特定の形態で、または、開示された機能を達成するための手段、または開示された結果を達成するための方法またはプロセスの用語で表現された特徴は、別々に、または、それら特徴の任意の組み合わせで、本発明をその多様な形態で実現するために利用される。
【図１】
0006506252.tif 000002
【図２】
0006506252.tif 000003
【図３】
0006506252.tif 000004
【図４】
0006506252.tif 000005
【図５】
0006506252.tif 000006
【図６】
0006506252.tif 000007
【図７】
0006506252.tif 000008
【図８】
0006506252.tif 000009